(57)【要約】【課題】本考案は、マルチインタフェースコネクタポートを提供する。【解決手段】USBフォーマットの第一端子群及びマルチ伝送インタフェースフォーマットの第二端子群をUSBコネクタフォーマットに合致された共通バスに設けて、単一な共通バスを介して、応用した装置はマルチインタフェースメモリ装置又はUSBフォーマットの周辺装置と信号の伝送を行なうマルチインタフェースコネクタの結構を構成している。【選択図】図2
0003121187.tif 000002
【実用新案登録請求の範囲】
【請求項１】
共通バスである主体のマルチインタフェースコネクタポートであって、
前記共通バスがUSBフォーマットの第一端子群及びマルチ伝送インタフェースフォーマットの第二端子群を備えていることを特徴とするマルチインタフェースコネクタポート。
【請求項２】
前記第一端子群及び前記第二端子群は互いに対向する位置に設けることを特徴とする請求項１に記載のマルチインタフェースコネクタポート。
【考案の詳細な説明】
【技術分野】
【０００１】
本考案はマルチインタフェースコネクタポートに関し、特に単一な共通バスを介して、接続されたマルチインタフェースメモリ装置又はUSBフォーマットの周辺装置と信号の伝送を行なうマルチインタフェースコネクタポートの結構に関するものである。
【背景技術】
【０００２】
小型ディジタル機種の市場規模は次第に大きくなっている（例えばディジタルカメラ、ビデオカメラ、MP3、携帯電話、…など）。直接影響されたのは内部のキーパーツであるが、これらに対応した小型化、精巧化、そのパーツ技術を利用する発展も相対的に小型化、チップ化を主要な発展方向として、ミニに近いこれらのICパーツのプリント基板は、体積もますます小さくなって、密度もますます高くなってきている。
【０００３】
上記の小型ディジタル機種としては、ビデオデータ、ディジタル写真、MP3 音楽、ゲームデータ、…などを保存するメモリカード（例えばSmart Media（登録商標） Card、Security
Digital Card、Multi Media Card、Memory Stick Card、CF Card、XD Card、…など）、メモリステッキなどのディジタル保存装置は既に多くのコンピュータユーザの身の回り品になっている。フロッピー（登録商標）ディスクに比べて、メモリカード、メモリステッキは体積が小さいであるが、容量はフロッピー（登録商標）ディスクよりも多くなって、且つアセクスの速度も速い、さらに、この両方の保存装置はフロッピー（登録商標）ディスクのように湿気を帯びりやすいこと又は壊れられることがない、多くの消費者は次第にフロッピー（登録商標）ディスクの代りに、この両方の保存装置を身の回り品として使用する。
【考案の開示】
【考案が解決しようとする課題】
【０００４】
図1に示すように、従来のプリント基板の上にメモリステッキ及びメモリカードを接続するための伝送インタフェースが異なって、メモリステッキとしては、その伝送インタフェースはUSBコネクタであるが、メモリカードの伝送インタフェースは金指という導電端子であって、従って、プリント基板の上にUSBコネクタポート及びメモリカードコネクタに対応するインタフェースをそれぞれ取り付けることが必要であって、応用の上にとても不便になっている。
【０００５】
言い換えれば、メモリカード伝送インタフェース及びUSB伝送インタフェースをUSBフォーマットに合致したコネクタに設けて、マルチインタフェースメモリ装置になっている。それに合わせて使用した電気装置は共通バスに対応するコネクタポートのみを一つ配置して、さらにプリント基板のスペースの節約を達成して、回路レイアウト及び組み立てを簡略化にして、さらに全体の信頼性を向上し、及び在庫品及び物流のコストなどの目的を低減している。従って、本考案が解決しようとする課題になっている。
【課題を解決するための手段】
【０００６】
本考案はこのような事情に鑑みてなされたものであって、USBフォーマットの第一端子群及びマルチ伝送インタフェースフォーマットの第二端子群をUSBコネクタフォーマットに合致された共通バスに設けて、単一な共通バスを介して、マルチインタフェースメモリ装置の回路と接続したマルチコネクタポートの結構を構成するようになっている。応用した装置はマルチインタフェースメモリ装置又はその他USBフォーマットの周辺装置と信号の伝送の要求を満足するようになっている。
【考案を実施するための最良の形態】
【０００７】
本考案のマルチインタフェースコネクタポートは、その全体のコネクタポートの基本結構の構成は図２に示すように、共通バス３０を主体として、実施する場合、その共通バス３０はさらにプリント基板E（又は信号の接続線）との回路の接続を構成している。そのうちに、共通バス３０はUSBフォーマットの第一端子群３１及びマルチ伝送インタフェースフォーマットの第二端子群３２を設けて、単一な共通バス３０を介して、マルチインタフェースメモリ装置４０の回路と接続したマルチコネクタポートの結構を構成するようになっている。
【０００８】
前記第一端子群３１の回路接点の配置フォーマットはUSBコネクタポートに合致した対応モードになって、主に、USBフォーマットの周辺装置とこのマルチインタフェースコネクタポートに応用した装置を構成するために、USB伝送インタフェースを介してデータの伝送を行なう。第二端子群３２のうちのいくつか回路接点は所定の配置モードを有する。主に第一端子群３１のうちの回路接点に接続して、マルチインタフェースメモリ装置を構成するように、マルチメモリカード伝送インタフェースを介して、このマルチインタフェースコネクタポートに応用した装置とのデータの伝送を行なう。
【０００９】
具体的に実施する場合、第一端子群３１及び第二端子群３２は共通バス３０の内部のプリント基板３３の上に設けるとともに、図3に示すように、第一端子群３１及び第二端子群３２はそれぞれ二つの対向された位置に設けて、コネクタ４１の二つのプリント基板面の全てに回路接点４１１のマルチインタフェースメモリ装置４０のフォーマットを設けている。
【００１０】
上記のように、本考案は、マルチインタフェースコネクタポートの一最適な結構を提供する。ただ、以上の実施と説明及び図面に示すように、本考案の最適な実施例だけで、本考案の実施範囲に限定されなく、本考案の構造、装置、特徴と近似、同じもの、全て本考案の特許請求の範囲に属するものとする。
【産業上の利用可能性】
【００１１】
本考案のマルチインタフェースコネクタポートは、応用した装置がマルチインタフェースメモリ装置又はその他USBフォーマットの周辺装置との信号の伝送の要求を満足するようになっている。さらにプリント基板のスペースの節約、回路レイアウト及び組み立ての簡略化することを達成させ、さらに全体の信頼性を向上し、及び在庫品及び物流のコストなどを低減させることを目的とする。
【図面の簡単な説明】
【００１２】
【図１】本考案の従来のメモリステッキ及びメモリカードの使用状態の参照図である。
【図２】本考案のマルチインタフェースコネクタポートの使用状態の参照図である。
【図３】本考案のマルチインタフェースコネクタポートとマルチインタフェースメモリ装置のコネクタの接続の状態断面図である。
【符号の説明】
【００１３】
A    メモリステッキ
B    メモリカード
C    USBコネクタポート
D    メモリカードコネクタ
E    プリント基板
１０    USBコネクタ
２０    導電端子
３０    共通バス
３１    第一端子群
３２    第二端子群
３３    プリント基板
４０    マルチインタフェースメモリ装置
４１    コネクタ
４１１    回路接点
【図１】
0003121187.tif 000003
【図２】
0003121187.tif 000004
【図３】
0003121187.tif 000005